(57)【特許請求の範囲】
【請求項１】
床下地に平行に離間して貼着されている床材間にできる帯状溝に嵌設する帯体の合成樹脂製ドレイン材であって、帯状溝と略同幅で略同厚みの帯体の内部にその長さ方向を貫通する1つの中空路が設けられていて、該中空路は底壁と左右の側壁と上部壁とを備え、前記上部壁の中空路方向の中心が接触して中空路を形成していることを特徴とする床用ドレイン材。
【請求項２】
帯体の一端で、中空路が表面側に全面開口していることを特徴とする請求項１に記載の床用ドレイン材。
【請求項３】
請求項１又は２に記載の床用ドレイン材を、床下地に平行に離間して貼着されている床材間にできる帯状溝に嵌設したことを特徴とする床構造。
【発明の詳細な説明】
【０００１】
【発明の属する技術分野】
本発明は、マンション、学校、病院等で使用している室内冷房機が室外に排出する水を建屋外に流出させるために共同廊下等の床材間に嵌設する床用ドレイン材と、この床用ドレイン材を嵌設した共同廊下等の床構造に関する。
【０００２】
【従来の技術】
近年、マンション、学校、病院等の室内冷房機の需要が激増し、冷房機が発生させる水の処理が大きな問題となっている。一般的に、室内冷房機は発生させた水を室外に排出する機能までを具備して販売され設置されている。
【０００３】
【発明が解決しようとする課題】
しかしながら、水をマンション、学校、病院等の建屋外に流出させるために共同廊下等に排水設備が、特に古い建屋には設けられていないのが現状となっている。そのために、古い建屋等で室内冷房機を増設する場合は、ドレイン排水溝材や排水管等を共同廊下等に新たに埋設する工事や共同廊下等に新たに排水溝を形成する工事が行なわれているが、コンクリートの下地を削るなど非常に手間の掛る工事になることから経済的に大きな問題になっている。本発明は上記の問題に鑑みてなされたものであり、排水機能を有した経済的な床用ドレイン材と、この床用ドレイン材を用いた排水機能を有した経済的な床構造を提供することを目的とする。
【０００４】
【課題を解決するための手段】
上記目的を達成するため、本発明の請求項１に係る床用ドレイン材は、床下地に平行に離間して貼着されている床材間にできる帯状溝に嵌設する帯体の合成樹脂製ドレイン材であって、帯状溝と略同幅で略同厚みの帯体の内部にその長さ方向を貫通する1つの中空路が設けられていて、該中空路は底壁と左右の側壁と上部壁とを備え、前記上部壁の中空路方向の中心が接触して中空路を形成していることを特徴とする。
【０００５】
これにより、床用ドレイン材はその内部の中空路で水を通すことが可能になり、例えば、床下地に平行に離間して貼着されている床材間にできる帯状溝に嵌設すれば、冷房機に接続されているドレインパイプの先端部から流出してくる水を一端から中空路に流入させ他端で流出させることができる。この場合、床下地との間にトンネル水路が形成され、この床の上を歩いた時に排水に直接触れることも無く、床面が水浸しになるようなこともない。
【０００６】
また、本発明の請求項２に係る床用ドレイン材は、帯体の一端で、中空路が表面側に全面開口していることを特徴とする。
【０００７】
これにより、開口面が水溜部となり、ドレインパイプの先端部から流出してくる水は一旦ここに放出され、この水は床用ドレイン材の中空路を通り前もって設けられている排水溝等に排出されることになる。また、この水溜部には冷房機から接続されているドレインパイプの先端部を固定バンド等で接続固定することも可能である。
【０００８】
また、本発明の請求項３に係る床構造は、請求項１又は２に記載の床用ドレイン材を、床下地に平行に離間して貼着されている床材間にできる帯状溝に嵌設したことを特徴とする。
【０００９】
床用ドレイン材はその内部の中空路で水を通すことから、このような床構造は、この床の上を歩いた時に排水に直接触れることも無く、床面が水浸しになるようなこともない。
【００１０】
【発明の実施の形態】
以下、図面を参照して本発明の具体的な実施形態を詳述する。
【００１１】
図１は、本発明の請求項１に係る床用ドレイン材１の一実施形態を示す参考の部分斜視図である。床用ドレイン材１は、帯体１０の内部にその長さ方向を貫通する少なくとも1つの中空路１１を設けている。この床用ドレイン材１のサイズは、床下地４に平行に離間して貼着されている床材３間にできる帯状溝と略同幅で略同厚みに形成されている。
【００１２】
本発明の床用ドレイン材は、図３（ａ）に示す断面形状を有するもので、上部中心が接触しているが一体化されておらずバネ性を有する材質で形成されている。
【００１３】
図１に示した床用ドレイン材１に代えて、図３（ａ）の床用ドレイン材１を床材３間にできる帯状溝嵌設すれば、床用ドレイン材１はその内部の中空路１１で水を通すことが可能になり、冷房機に接続されているドレインパイプ５の先端部から流出してくる水を一端から中空路１１に流入させ他端で流出させることができる。この場合、床下地４との間にトンネル水路が形成され、この床の上を歩いた時に排水に直接触れることも無く、床面が水浸しになるようなことはなくなる。そして、この床用ドレイン材１は、上部中心が接触しているが一体化されておらずバネ性を有する材質で形成されているために、踏まれてもすぐに元に戻り、内部の水が踏まれた時に表面に漏れても、その殆どの水量を表面中心に形成されている溝部で吸収することになる。
【００１４】
また、図１は、本発明の請求項２に係る床用ドレイン材１の一実施形態を示す参考の部分斜視図でもある。この床用ドレイン材１は、帯体１０の一端で、中空路１１が表面側に全面開口しており、この開口面１２が水溜部となり、ドレインパイプ５の先端部から流出してくる水は一旦ここに放出され、この水は床用ドレイン材１の中空路１１を通り前もって設けられている排水溝等に排出されることになる。また、この水溜部には冷房機から接続されているドレインパイプ５の先端部を固定バンド等で接続固定することも可能である。図１に示す床用ドレイン材１に代えて、図３（ａ）の床用ドレイン材１を用いれば、上記と同様な効果を奏することができる。
【００１５】
図２は、床用ドレイン材１を示す参考の断面図であり、互いに反対側から、その（ａ）は、中空路１１を示し、その（ｂ）は、開口面１２を示し、共に床用ドレイン材１を、床下地４に平行に離間して貼着されている床材３間にできる帯状溝に嵌設しようとする状態を示すものである。
【００１６】
本発明でいう床用ドレイン材１の、床下地４に平行に離間して貼着されている床材３間にできる帯状溝に対する略同幅で略同厚みという範囲は、幅において床用ドレイン材１が大きな隙間をつくることなく帯状溝に嵌まることであり、厚みにおいて床用ドレイン材１の最大部分が帯状溝の２倍を超えない程度のものである。
【００１７】
図３（ａ）は、上述してきた床用ドレイン材１のそれぞれ他の実施例を示す断面図である。前記したように、（ａ）は、上部中心が接触しているが一体化されておらずバネ性を有する材質で形成されている。このような床用ドレイン材１は、踏まれてもすぐに元に戻り、内部の水が踏まれた時に表面に漏れても、その殆どの水量を表面中心に形成され言いる溝部で吸収することになる。また、（ｂ）,（ｃ）は床用ドレイン材１の参考断面図で、その（ｂ）は、中空路１１を有する芯材１３を、その（ｃ）は、凹状の溝を裏面側に有する芯材１３を合成樹脂で被覆したものであり、両者は耐踏み圧で優れたものになる。
【００１８】
本発明の床用ドレイン材１やその帯体１０を形成する材料には、合成樹脂、特に熱可塑性の塩化ビニールやポリエチレン、ポリプロピレン等のポリオレフィン系樹脂が好適に使用でき、また、腐食性の高い金属、防錆処理がなされた金属及びこれ等の金属と合成樹脂の複合材等が使用できる。また、床用ドレイン材１の内部に設ける中空路１１の数も、少なくとも１つあれば幾つあってもよいことになり、また、中空路１１と床用ドレイン材１の表面外部との間も、必ずしも、空気や水の遮断状態に形成する必要もない。
【００１９】
図４は、床構造２の一実施形態を示す参考の斜視図である。図から明らかなように、この床構造２は、床用ドレイン材１を、床下地４に平行に離間して貼着されている床材３間にできる帯状溝に嵌設したものである。
【００２０】
図４で示しているように、室内冷房機から室外に導出されているドレインパイプ５の先端部を帯体１０の一端部に設けられている開口面１２の上に配置、又は、図示しないがドレインパイプ５の先端部を固定具等で開口面１２に接続することによって、ドレインパイプ５の先端部から流出してくる室内冷房によって発生した水は、水溜部となる開口面１２に放出され、床用ドレイン材１の中空路１１を通って共同廊下等の外側に設けられている排水溝４０に排出されることになる。
【００２１】
この場合、床用ドレイン材１はその内部の中空路１１で水をよく通すことから、このような床構造２は、この床の上を歩いた時に排水に直接触れることも無く、床面が水浸しになるようなこともない。また、床材３の色彩に合わせて床用ドレイン材１を配色すれば、意匠性の高い床構造２が得られることになる。
【００２２】
また、このような床構造２は、形成対称となるマンションの共同廊下等で、既に床材３が敷設されている場合は、廊下を横切るように床用ドレイン材１の帯体１０幅と略同幅で床下地４から床材３を剥がして帯状溝を設け、新たに床材３を敷設する場合は、床材３を床用ドレイン材１の帯体１０幅と略同幅で離間させて帯状溝を設け、それ等床材３間の帯状溝に床用ドレイン材１０を嵌設することによって得られる。
【００２３】
そして、この床構造２を長期に亘り問題なく使用するために、嵌設作業時に、接着や融着の手段をこうじて床用ドレイン材１０と床下地４及び床材３の端面とを強固に一体化することによって、本発明の床構造２は長期に亘り問題なく使用できることになる。図４に関し、図中に示す床用ドレイン材１に代えて、図３（ａ）の床用ドレイン材１を用いたとしても上記と同様である。
【００２４】
【発明の効果】
本発明の床用ドレイン材は、床下地に平行に離間して貼着されている床材間にできる帯状溝に嵌設するドレイン材であって、帯状溝と略同幅で略同厚みの帯体の内部にその長さ方向を貫通する1つの中空路が設けられていて、上部中心が接触しているが一体化されておらずバネ性を有する材質で形成されている。このため、床用ドレイン材はその内部の中空路で水を通すことが可能になり、例えば、床下地５に平行に離間して貼着されている床材７間にできる帯状溝に嵌設すれば、冷房機に接続されているドレインパイプの先端部から流出してくる水を一端から中空路に流入させ他端で流出させることができる。この場合、床下地との間にトンネル水路が形成され、この床の上を歩いた時に排水に直接触れることも無く、床面が水浸しになるようなこともない。また、この床用ドレイン材は、踏まれてもすぐに元に戻り、内部の水が踏まれた時に表面に漏れても、その殆どの水量を表面中心に形成されている溝部で吸収することになる。
【００２５】
また、本発明の床用ドレイン材は、帯体の一端で、中空路が表面側に全面開口させることが可能で、この場合、開口面が水溜部となり、ドレインパイプの先端部から流出してくる水は一旦ここに放出され、この水は床用ドレイン材の中空路を通り前もって設けられている排水溝等に排出されることになる。また、この水溜部となる開口部には冷房機から接続されているドレインパイプの先端部を固定バンド等で接続固定することが可能となる。
【００２６】
また、本発明の床構造は、請求項１又は２に記載の床用ドレイン材を、床下地に平行に離間して貼着されている床材間にできる帯状溝に嵌設するもので、床用ドレイン材はその内部の中空路で水を通すことから、このような床構造は、この床の上を歩いた時に排水に直接触れることも無く、床面が水浸しになるようなこともない。また、床材の色彩に合わせて床用ドレイン材を配色すれば、意匠性の高い床構造が得られることになる。
【００２７】
【図面の簡単な説明】
【図１】床用ドレイン材の一実施形態に係る参考部分斜視図である。
【図２】床用ドレイン材の一実施形態に係る参考断面図である。
【図３】本発明の床用ドレイン材の実施形態に係る断面図である。
（ａ）は本発明の床用ドレイン材一実施形態に係る断面図で、（ｂ）,（ｃ）は参考断面図である。
【図４】床構造の一実施形態に係る参考斜視図である。
【００２８】
【符号の説明】
１  床用ドレイン材
１０  帯体
１１  中空路
１２  開口面
１３  芯材
２    床構造
３    床材
４    床下地
４０  排水溝
５    ドレインパイプ
【図１】
0004518614.tif 000002
【図２】
0004518614.tif 000003
【図３】
0004518614.tif 000004
【図４】
0004518614.tif 000005